(57)【特許請求の範囲】
【請求項１】
電柱に柱状のアーム部材を設置するために、高所作業車のサブブームに連結して用いられるアーム部材の取り付け装置であって、
柱状のアーム本体と、前記アーム本体の先端側に設けられ、前記アーム部材を固定するアーム部材固定部を有するヘッド部と、を含むサポートアームと、
前記サブブームに連結するサブブーム連結部と、前記サブブーム連結部に対し上下方向に傾斜自在に連結されると共に、前記サポートアームのアーム本体の後端側に着脱自在に連結するサポートアーム連結部と、前記サブブーム連結部と前記サポートアーム連結部の傾斜角を調整する傾斜角調整部と、を有するアダプタと、
を備えることを特徴とするアーム部材の取り付け装置。
【請求項２】
前記サポートアームが、前記ヘッド部に前記アーム部材を挿入する挿入部を備えることを特徴とする請求項１記載のアーム部材の取り付け装置。
【請求項３】
前記サポートアームは、前記ヘッド部が前記アーム本体に対して水平方向に傾斜自在に連結され、前記ヘッド部と前記アーム本体との傾斜角を調整するヘッド傾斜角調整部を備えていることを特徴とする請求項１または２記載のアーム部材の取り付け装置。
【請求項４】
前記サブブームと前記アダプタのサブブーム連結部とを連結する継手であって、前記アダプタに連結する前記サポートアームの長手方向を、前記サブブームの長手方向に対し、平面視において、平行とし、または傾斜させる角度変更継手を備えることを特徴とする請求項１、２または３記載のアーム部材の取り付け装置。
【請求項５】
前記サポートアームが前記アーム本体の後端側に前記サポートアームの長さを延長する延長アームを備え、前記延長アームの後端側が前記アダプタのサポートアーム連結部に着脱自在に連結されることを特徴とする請求項１、２、３または４記載のアーム部材の取り付け装置。
【請求項６】
サブブームを有する高所作業車を用いて電柱に柱状のアーム部材を取り付けるアーム部材の取り付け方法であって、
電柱の活線近接範囲外となる部分に前記アーム部材をその長手方向が略水平となるようにアーム部材固定具により仮固定する工程と、
柱状のアーム本体および前記アーム本体の先端側に設けられるヘッド部を有するサポートアームをその長手方向が略水平となるようにして、前記ヘッド部を前記アーム部材の一端側に固定する工程と、
前記サブブームに連結されたアダプタを、高所作業車の操作により、前記サポートアームの後方に移動し、次いで、前記サポートアームのアーム本体の後端に向けて略水平に移動し、前記サポートアームのアーム本体の後端側に連結する工程と、
前記アーム部材固定具により前記アーム部材の前記電柱への固定を解除し、前記高所作業車の操作により、前記アーム部材を前記電柱の設置位置まで昇降させる工程と、
前記アーム部材を前記アーム部材固定具により前記電柱に固定し、前記アーム部材から前記サポートアームを取り外す工程と、
を含むことを特徴とするアーム部材の取り付け方法。
【請求項７】
前記サポートアームは、前記ヘッド部が前記アーム本体に対して水平方向に傾斜自在に連結され、前記ヘッド部と前記アーム本体との傾斜角を調整するヘッド傾斜角調整部を備え、前記サポートアームのヘッド部を前記アーム部材の一端側に固定する際に、前記ヘッド部を前記アーム本体に対して水平方向に傾斜自在とし、前記アーム部材を前記電柱の設置位置まで昇降させた後に、前記ヘッド傾斜角調整部により前記アーム本体に対する前記ヘッド部材の水平方向の傾斜を調整して前記アーム部材の水平方向の向きを調整することを特徴とする請求項６記載のアーム部材の取り付け方法。
【請求項８】
前記サブブームと前記アダプタとを連結する継手であって、前記アダプタに連結する前記サポートアームの長手方向を、前記サブブームの長手方向に対し、平面視において、平行とし、または傾斜させる角度変更継手を備えることを特徴とする請求項６または７記載のアーム部材の取り付け方法。
【請求項９】
サブブームを有する高所作業車を用いてアーム部材固定具により電柱に取り付けられた柱状のアーム部材を取り外すアーム部材の取り外し方法であって、
前記アーム部材に取り付けられる機器のリード線を切り離す工程と、
柱状のアーム本体およびアーム本体の先端側に設けられるヘッド部を有するサポートアームをその長手方向が略水平となるようにして、前記ヘッド部を前記アーム部材の一端側に固定する工程と、
前記サブブームに連結されたアダプタを、高所作業車の操作により、前記サポートアームの後方に移動し、次いで、前記サポートアームのアーム本体の後端に向けて略水平に移動し、前記サポートアームのアーム本体の後端側に連結する工程と、
前記アーム部材固定具により前記アーム部材の前記電柱への固定を解除し、前記高所作業車の操作により、前記アーム部材を前記電柱の活線近接範囲外の部分に昇降させる工程と、
前記アーム部材から前記サポートアームを取り外し、前記電柱から前記アーム部材を取外す工程と、
を含むことを特徴とするアーム部材の取り外し方法。
【発明の詳細な説明】
【技術分野】
【０００１】
本発明は、電柱にアーム部材を取り付けるためのアーム部材の取り付け装置、アーム部材の取り付け方法およびアーム部材の取り外し方法に関する。
【背景技術】
【０００２】
電柱に変圧器を設置する場合、電柱の高圧線と変圧器との間の部分にＣＦ遮断器（高圧カットアウト）が設けられる。ＣＦ遮断器は、通常、電柱に装着される柱状のアーム部材に取り付けられる。
【０００３】
ＣＦ遮断器を電柱に取り付ける装置として、特許文献１には、アプローチアーム装置が開示されている。アプローチアーム装置１４０は、図３２に示すように、高所作業車のメインブーム１３４の先端部に取り付けられたサブブーム１３６と、サブブーム１３６に取り付けられる固定支持部材１４１と、固定支持部材１４１に水平旋回自在に取り付けられる旋回アーム部材１４２と、旋回アーム部材１４２に上下揺動自在に取り付けられる起伏アーム部材１４３と、起伏アーム部材１４３に取り付けられるアームホルダ部材１４４とにより構成されている。
【０００４】
アプローチアーム装置１４０によると、あらかじめＣＦ遮断機１２４等が取り付けられたアーム部材１２２を電柱１２０の下部側においてアームホルダ部材１４４で保持し、高所作業車のメインブーム１３４およびサブブーム１３６の操作によりアーム部材１２２を電柱１２０の上部における所定の設置位置に上昇させる。次いで、旋回アーム部材１４２により水平旋回させたり、起伏アーム部材１４３により上下揺動させたりしながらアーム部材１２２の位置調整を行い、アーム部材１２２を電柱１２０に設置する。
【０００５】
アプローチアーム装置１４０を使用するためには、高圧線１２１ａの下に高所作業車のバケット１３２またはアプローチアーム装置１４０が進入できるスペースが必要となる。
しかしながら、図３３に示すように、高圧線１２１ａの下方に低圧線１２１ｂも架線されている電柱１２０においては、低圧線１２１ｂや低圧線１２１ｂを支持するアーム部材１２１ｃがバケット１３２やアプローチアーム装置１４０の上昇の妨げとなるため、アプローチアーム装置１４０を適用することができない。そして、このような電柱１２０に対しては、高圧作業停電や活線近接作業を行う必要があるため、停電の発生や、作業性および安全性に問題があった。
また、アプローチアーム装置１４０は、部品点数が多く、その重量も重いため、その組み立てや解体において作業性に難があり、装置自体のコストもが高いという問題もあった。
【０００６】
なお、特許文献２には、電柱に開閉器を取り付ける方法及び装置としてとして、高所作業車のサブブームに取り付けたアダプタによって、開閉器が取り付けられたアームを保持して電柱に近接させ、電柱に取り付ける方法およびアダプタに関する発明が記載されている。
【先行技術文献】
【特許文献】
【０００７】
【特許文献１】特開２００１−３４１９９０号
【特許文献２】特開２００２−１９９５６７号
【発明の概要】
【発明が解決しようとする課題】
【０００８】
本発明は、従来の装置または方法を適用することができなかった電柱にも適用することができ、作業時における停電回数を低減し、作業性や安全性の高いアーム部材の取り付け装置、アーム部材の取り付け方法およびアーム部材の取り外し方法を提供する。
【課題を解決するための手段】
【０００９】
本発明のアーム部材の取り付け装置は、電柱に柱状のアーム部材を設置するために、高所作業車のサブブームに連結して用いられるアーム部材の取り付け装置であって、柱状のアーム本体と、アーム本体の先端側に設けられ、アーム部材を固定するアーム部材固定部を有するヘッド部とを含むサポートアームと、サブブームに連結するサブブーム連結部と、サブブーム連結部に対し上下方向に傾斜自在に連結されると共に、サポートアームのアーム本体の後端側に着脱自在に連結するサポートアーム連結部と、サブブーム連結部とサポートアーム連結部の傾斜角を調整する傾斜角調整部と、を有するアダプタと、を備えている。
【００１０】
本発明のアーム部材の取り付け装置は、サポートアームのヘッド部にアーム部材を挿入する挿入部を備えるものであってもよい。
【００１１】
また、本発明のアーム部材の取り付け装置において、サポートアームは、ヘッド部がアーム本体に対して水平方向に傾斜自在に連結され、ヘッド部とアーム本体との傾斜角を調整するヘッド傾斜角調整部を備えるものであってもよい。
【００１２】
また、本発明のアーム部材の取り付け装置は、サブブームとアダプタのサブブーム連結部とを連結する継手であって、アダプタに連結するサポートアームの長手方向を、サブブームの長手方向に対し、平面視において、平行とし、または傾斜させる角度変更継手を備えることができる。
【００１３】
また、本発明のアーム部材の取り付け装置は、サポートアームがアーム本体の後端側にサポートアームの長さを延長する延長アームを備えることができる。延長アームは、その後端側がアダプタのサポートアーム連結部に着脱自在に連結される。
【００１４】
本発明のアーム部材の取り付け方法は、サブブームを有する高所作業車を用いて電柱に柱状のアーム部材を取り付けるアーム部材の取り付け方法であって、電柱の活線近接範囲外となる部分にアーム部材をその長手方向が略水平となるようにアーム部材固定具により仮固定する工程と、柱状のアーム本体およびアーム本体の先端側に設けられるヘッド部を有するサポートアームをその長手方向が略水平となるようにして、ヘッド部をアーム部材の一端側に固定する工程と、サブブームに連結されたアダプタを、高所作業車の操作により、サポートアームの後方に移動し、次いで、サポートアームのアーム本体の後端に向けて略水平に移動し、サポートアームのアーム本体の後端側に連結する工程と、アーム部材固定具によりアーム部材の電柱への固定を解除し、高所作業車の操作により、アーム部材を電柱の設置位置まで昇降させる工程と、アーム部材をアーム部材固定具により電柱に固定し、アーム部材からサポートアームを取り外す工程と、を含んでいる。
ここで、高所作業車の操作とは、高所作業車のメインブームおよびサブブームの両方または一方の操作を意味する。
【００１５】
本発明のアーム部材の取り付け方法は、サポートアームのヘッド部がアーム本体に対して水平方向に傾斜自在に連結され、ヘッド部とアーム本体との傾斜角を調整するヘッド傾斜角調整部を備え、サポートアームのヘッド部をアーム部材の一端側に固定する際に、ヘッド部をアーム本体に対して水平方向に傾斜自在とし、アーム部材を電柱の設置位置まで昇降させた後に、ヘッド傾斜角調整部によりアーム本体に対するヘッド部材の水平方向の傾斜を調整してアーム部材の水平方向の向きを調整するものであってもよい。
【００１６】
本発明のアーム部材の取り付け方法は、サブブームとアダプタとを連結する継手であって、アダプタに連結するサポートアームの長手方向を、サブブームの長手方向に対し、平面視において、平行とし、または傾斜させる角度変更継手を備えてもよい。
【００１７】
本発明のアーム部材の取り外し方法は、サブブームを有する高所作業車を用いてアーム部材固定具により電柱に取り付けられた柱状のアーム部材を取り外すアーム部材の取り外し方法であって、アーム部材に取り付けられる機器のリード線を切り離す工程と、柱状のアーム本体およびアーム本体の先端側に設けられるヘッド部を有するサポートアームをその長手方向が略水平となるようにして、ヘッド部をアーム部材の一端側に固定する工程と、
サブブームに連結されたアダプタを、高所作業車の操作により、サポートアームの後方に移動し、次いで、サポートアームのアーム本体の後端に向けて略水平に移動し、サポートアームのアーム本体の後端側に連結する工程と、アーム部材固定具によりアーム部材の電柱への固定を解除し、高所作業車の操作により、アーム部材を電柱の活線近接範囲外の部分に昇降させる工程と、アーム部材からサポートアームを取り外し、電柱からアーム部材を取外す工程と、を含んでいる。
【発明の効果】
【００１８】
本発明のアーム部材の取り付け装置、アーム部材の取り付け方法およびアーム部材の取り外し方法は、従来の装置または方法に比べて適用範囲が広く、様々な電柱に適用できるので、アーム部材の取り付け作業または取り外し作業における停電回数を低減することができ、作業時の作業性や安全性を向上させることができる。
【００１９】
本発明のアーム部材の取り付け装置において、サポートアームのヘッド部にアーム部材を挿入する挿入部を備えると、サポートアームによりアーム部材を確実に支持することができる。
【００２０】
また、本発明のアーム部材の取り付け装置およびアーム部材の取り付け方法において、ヘッド部がアーム本体に対し水平方向に傾斜自在に連結され、サポートアームにヘッド部とアーム本体との傾斜角を固定するヘッド傾斜角調整部を備えると、アーム部材の水平方向の向きを容易に調整することができる。
【００２１】
また、本発明のアーム部材の取り付け装置およびアーム部材の取り付け方法において、角度変更継手を備えると、電柱に引込線等が設けられ、引込線等が障害となってアダプタをサポートアームに近接させることができない場合であっても、引込線等を回避してアダプタをサポートアームに近接させて連結することができる。
【００２２】
また、本発明のアーム部材の取り付け装置において、延長アームを備えると、電柱に低圧線を支持する低圧線のアーム部材等が設けられ、低圧線のアーム部材等が障害となってアダプタをサポートアームに近接させることができない場合であっても、アダプタをサポートアームに近接させて連結することができる。
【図面の簡単な説明】
【００２３】
【図１】本発明の実施形態のアーム部材の取り付け装置の構成であるサポートアームを示す平面図である。
【図２】図１のII-II線断面図である。
【図３】サポートアームを示す正面図である。
【図４】本発明の実施形態のアーム部材の取り付け装置の構成であるアダプタを平面側から見た斜視図である。
【図５】アダプタを底面側から見た斜視図である。
【図６】アダプタの連結状態を示す側面図である。
【図７】アダプタのロックアームの動きを説明する模式図である。
【図８】アダプタのロックアームの動きを説明する模式図である。
【図９】アダプタのレバー回転規制部の動きを説明する正面図である。
【図１０】アダプタのレバー回転規制部の動きを説明する正面図である。
【図１１】本発明の実施形態のアーム部材の取り付け装置の構成である延長アームを示す平面図である。
【図１２】図１１のXII-XII線断面図である。
【図１３】延長アームを示す正面図である。
【図１４】本発明の実施形態のアーム部材の取り付け装置の構成である角度変更継手を示す分解平面図である。
【図１５】角度変更継手を示す分解側面図である。
【図１６】角度変更継手を示す平面図である。
【図１７】角度変更継手を示す側面図である。
【図１８】角度変更継手を示す背面図である。
【図１９】アーム部材を電柱に仮固定する状況を示す正面図である。
【図２０】高圧線および低圧線が架設された電柱にアーム部材を仮固定した状態を示す側面図である。
【図２１】アーム部材にサポートアームを連結した状態を示す正面図である。
【図２２】サポートアームにアダプタを連結する状況を示す正面図である。
【図２３】高圧線と共に低圧線が架設された電柱において、アダプタをサポートアームに近接させる状況を示す正面図である。
【図２４】サポートアームに延長アームを連結した状態を示す正面図である。
【図２５】延長アームにアダプタを連結した状態を示す正面図である。
【図２６】引込線が架設された電柱において、アダプタをサポートアームに近接させる状況を示す正面図である。
【図２７】引込線が架設された電柱において、アダプタをサポートアームに近接させる状況を示す平面図である。
【図２８】サブブームと角度変更継手を介して連結するアダプタをサポートアームに連結した状態を示す正面図である。
【図２９】サブブームと角度変更継手を介して連結するアダプタをサポートアームに連結した状態を示す平面図である。
【図３０】アーム部材を昇降する状況を示す正面図である。
【図３１】リード線の接続作業が完了した状態を示す正面図である。
【図３２】アプローチアーム装置によりアーム部材を電柱に取り付ける状況を示す側面図である。
【図３３】高圧線と共に低圧線が架線された電柱にアプローチアーム装置によりアーム部材を取り付ける状況を示す側面図である。
【発明を実施するための形態】
【００２４】
以下、本発明の実施形態のアーム部材の取り付け装置、アーム部材の取り付け方法およびアーム部材の取り外し方法について説明する。
まず、最初に、本発明の実施形態のアーム部材の取り付け装置について説明する。図１〜図１８は、本発明の実施形態のアーム部材の取り付け装置を示す。本発明の実施形態のアーム部材の取り付け装置は、電柱１００に柱状のアーム部材１０２を設置するために、高所作業車のサブブーム１１６に連結して用いられる装置であって、サポートアーム１と、アダプタ３０と、を備えている。
【００２５】
サポートアーム１は、図１〜図３に示すように、アーム本体１０と、アーム本体１０の先端側に設けられるヘッド部２０と、を備えている。
【００２６】
アーム本体１０は、柱状であり、本実施形態では、角筒状としている。アーム本体１０の後端側の上壁および底壁には、貫通孔１２，１２が対向して設けられている。また、アーム本体１０の後端側の左右の側壁にも、貫通孔１２，１２が対向して設けられている。
【００２７】
ヘッド部２０は、アーム本体１０と同様に、柱状であり、本実施形態では、角筒状としている。ヘッド部２０の後端側には、アーム本体１０の先端側が挿入されており、ヘッド部２０は軸部２２によりアーム本体１０に連結されている。
軸部２２は、頭部を有する軸本体２２ａと、スナップピン２２ｂと、により構成されている。軸本体２２ａは、ヘッド部２０およびアーム本体１０のそれぞれの上壁および底壁を同軸上に貫通して設けられる貫通孔２１ａ，２１ａ，１３，１３に上壁側から通されている。そして、軸本体２２ａのうち、ヘッド部２０の底壁から外側に突出する部分に、スナップピン２２ｂが取り付けられている。軸本体２２ａとヘッド部２０およびアーム本体１０の貫通孔２１ａ，２１ａ，１３，１３との隙間には、クリアランスを調整するために、筒状であって一端にフランジを有する樹脂製のクリアランス部材２３が設けられている。
ヘッド部２０は、上記の構成により、アーム本体１０に対して、水平方向に傾斜自在となっている。
【００２８】
ヘッド部２０の左右の側壁のうち、その内側においてアーム本体１０が挿入されている部分には、ヘッド部２０とアーム本体１０との傾斜角を調整するヘッド傾斜角調整部２４が設けられている。
ヘッド傾斜角調整部２４は、ヘッド部２０の側壁の外面から左右方向に延びる一対の板状の基部２４ｂ、一対の基部２４ｂに掛け渡される板状の頂部２４ｃおよび頂部２４ｃを貫通する貫通孔２４ｄを有する枠部２４ａと、枠部２４ａの頂部２４ｃの背面において貫通孔２４ｄと同軸上に設けられる傾斜角調整ナット２４ｅと、傾斜角調整ナット２４ｅに締結される傾斜角調整ボルト２４ｆと、を備えている。また、ヘッド部２０の左右の側壁には、傾斜角調整ボルト２４ｆを通すための貫通孔２４ｇ，２４ｇが設けられている。
アーム本体１０に対するヘッド部２０の傾斜角は、左右の傾斜角調整ボルト２４ｆ，２４ｆをそれぞれ締めたり緩めたりすることにより調整される。左右の傾斜角調整ボルト２４ｆ，２４ｆを締めると、傾斜角調整ボルト２４ｆ，２４ｆがアーム本体１０の側壁に当接し、アーム本体１０に対するヘッド部２０の傾斜角が固定される。
【００２９】
ヘッド部２０の内部は、アーム部材１０２が挿入される挿入部２６となっている。また、ヘッド部２０の内部には、挿入部２６に挿入されるアーム部材１０２の挿入長を規制するために、ストッパー２８が設けられている。
ストッパー２８は、ボルト２８ａと、ボルト２８ａに締結されるナット２８ｂと、により構成されている。ボルト２８ａは、ヘッド部２０の上壁および底壁のそれぞれに形成された貫通孔２８ｃ，２８ｃに通され、ヘッド部２０の底壁の外面においてナット２８ｂにより締結されている。
なお、ヘッド部２０の上壁および底壁の貫通孔２８ｃ，２８ｃをヘッド部２０の長手方向に複数形成すると、ボルト２８ａを挿入する貫通孔２８ｃ，２８ｃを変更することにより、アーム部材１０２の長さに応じて挿入部２６におけるアーム部材１０２の挿入長を変更することができる。
【００３０】
ヘッド部２０は、ストッパー２８より先端側において、挿入部２６に挿入されるアーム部材１０２を固定するアーム部材固定部２９を備えている。
アーム部材固定部２９は、ヘッド部２０の底壁の外面から下方に延びる一対の板状の基部２９ｂ、一対の基部２９ｂに掛け渡される板状の頂部２９ｃおよび頂部２９ｃを貫通する貫通孔２９ｄを有する枠部２９ａと、頂部２９ｃの背面において貫通孔２９ｄと同軸上に設けられるナット２９ｅと、ナット２９ｅに締結される固定ボルト２９ｆと、により構成されている。本実施形態では、固定ボルト２９ｆとして、ユニバーサルボルトが用いられている。固定ボルト２９ｆの頭部には、固定ボルト２９ｆを工具等で回すために、環状の環状部２９ｇが設けられている。また、ヘッド部２０の底壁には固定ボルト２９ｆを通すための貫通孔２１ｂが設けられている。
【００３１】
ヘッド部２０にアーム部材１０２を挿入し、固定ボルト２９ｆを締めると、アーム部材１０２に設けられた貫通孔１０２ｂに固定ボルト２９ｆが挿入され、アーム部材１０２がヘッド部２０に固定される。また、固定ボルト２９ｆを緩めると、アーム部材１０２に設けられた貫通孔１０２ｂから固定ボルト２９ｆが離脱し、アーム部材１０２をヘッド部２０から取り外すことができる。
【００３２】
アダプタ３０は、図４〜図６に示すように、高所作業車のサブブーム１１６に連結するサブブーム連結部３１と、サブブーム連結部３１に対して上下方向に傾斜自在に連結されると共に、サポートアーム１のアーム本体１０の後端側に着脱自在に連結するサポートアーム連結部４１と、サブブーム連結部３１とサポートアーム連結部４１の傾斜角を調整する傾斜角調整部４９と、を備えている。
なお、サブブーム連結部３１およびサポートアーム連結部４１の方向に関して、サブブーム１１６またはサポートアーム１が挿入される側を先側（前側）とし、サブブーム連結部３１とサポートアーム連結部４１とが連結される側を後側とする。
【００３３】
サブブーム連結部３１は、筒状のサブブーム連結部本体３３と、サブブーム連結部本体３３の後端に設けられるガイド部３５と、を備えている。
サブブーム連結部本体３３は、その内部に、高所作業車のサブブーム１１６の先端側が挿入される。そして、サブブーム連結部本体３３の側壁に設けられる貫通孔３３ａ，３３ａおよびサブブーム１１６の側壁に設けられる貫通孔（図示略）にボルト３３ｂを挿入し、ナット３３ｃで締結することにより、サブブーム連結部３１とサブブーム１１６とが連結する。
ガイド部３５は、サブブーム連結部本体３３の後端に設けられ、上下方向に延びる連結壁３５ａと、連結壁３５ａの左右の端部からそれぞれ後方に延びる一対のガイド壁３５ｃと、を備えている。連結壁３５ａには、後述する傾斜角調整ボルト４９ａを通すための貫通孔３５ｂが設けられている。
【００３４】
サポートアーム連結部４１は、サポートアーム連結部本体４３と、サポートアーム連結部本体４３の先端に設けられる導入部４４と、サポートアーム連結部本体４３の上壁の後端から上方に延びる後壁４５と、サポートアーム連結部本体４３の底壁の後端側に設けられ、左右方向に延びる筒状の軸受４７と、を備えている。
導入部４４は、サポートアーム連結部本体４３の内部にサポートアーム１のアーム本体１０を挿入しやすくするためのものであり、前方に向かうに従って開口部が広がるように外側に傾斜している。
サポートアーム連結部本体４３の左右の側壁には、後述するロックアーム５６，５６を通すための貫通孔４３ａ，４３ａが対向して設けられている。
後壁４５の前面には、支持壁４５ｂ，４５ｂが左右に間隔を保って設けられている。また、後壁４５のうち支持壁４５ｂ，４５ｂの間には、後述する傾斜角調整ボルト４９ａを通すための貫通孔４５ａが設けられている。
【００３５】
サブブーム連結部３１のガイド部３５の内側には、サポートアーム連結部４１の後部が収められている。そして、サブブーム連結部３１のガイド壁３５ｃの貫通孔（図示略）およびサポートアーム連結部４１の軸受４７には、下軸部３７の軸部本体３７ａが通されている。下軸部３７は頭部を有する軸部本体３７ａと、軸部本体３７ａのうち、ガイド壁３５ｃの外側に突出する部分に取り付けられるコッタピン３７ｂと、により構成されている。
【００３６】
サブブーム連結部３１のガイド壁３５ｃの上部には、円弧状に貫通するガイド孔３５ｄが設けられている。サブブーム連結部３１のガイド壁３５ｃのガイド孔３５ｄおよびサポートアーム連結部４１の側壁の貫通孔（図示略）には、上軸部３９の軸部本体３９ａが通されている。
上軸部３９は、頭部を有する軸部本体３９ａと、座金３９ｂと、コッタピン３９ｃと、により構成されている。軸部本体３９ａは、左右の一方のガイド孔３５ｄから挿入されており、他方のガイド孔３５ｄから外側に突出する部分には座金３９ｂが挿入されると共に、コッタピン３９ｃが取り付けられている。上軸部３９は、サブブーム連結部３１とサポートアーム連結部４１の傾斜に伴い、ガイド孔３５ｄに沿って移動する。
【００３７】
傾斜角調整部４９は、傾斜角調整ボルト４９ａと、傾斜角調整ナット４９ｂと、を備えている。傾斜角調整ボルト４９ａは、先端が環状に形成され、この環状の部分に支持壁４５ｂ，４５ｂの間に設けられる軸部４９ｄが通されている。そのため、傾斜角調整ボルト４９ａは、軸部４９ｄにより上下方向に回転自在に支持されている。軸部４９ｄの構成については、上記上軸部３９と同じであるので、ここでは説明を省略する。傾斜角調整ボルト４９ａは、後壁４５および連結壁３５ａの貫通孔４５ａ，３５ｂに通されており、球面座金４９ｃを介して傾斜角調整ナット４９ｂが締結されている。傾斜角調整ボルト４９ａの回転範囲は、後壁４５および連結壁３５ａの貫通孔４５ａ，３５ｂにより回転範囲が規制される。
傾斜角調整ナット４９ｂを回すと、サブブーム連結部３１とサポートアーム連結部４１との傾斜角が変化する。
【００３８】
サポートアーム連結部本体４３の底壁には、Ｔ字状のレバー５１が上下方向に回転自在に取り付けられている。また、サポートアーム連結部本体４３の底壁には、前後に間隔を保って設けられる一対の支持板５３，５３が設けられている。それぞれの支持板５３の中央部には、縦長に貫通する回転規制孔５３ａが設けられており、レバー５１が回転規制孔５３ａに通されている。回転規制孔５３ａによりレバー５１の回転範囲が規制される。
【００３９】
一対の支持板５３，５３の間には、図７および図８に示すように、左右に並ぶ一対の回転板５５，５５が、サポートアーム連結部４１の長手方向に平行な軸部により回転自在に支持されている。それぞれの回転板５５には、その内側寄りの部分に幅広の長孔５５ａが設けられている。これらの長孔５５ａ，５５ａにはレバー５１が通されている。また、それぞれの回転板５５には、その外側の端部に屈曲した柱状のロックアーム５６が連結されている。
このような構成により、アダプタ３０はサポートアーム１を着脱自在に連結することができる。具体的には、アダプタ３０のレバー５１を下げると、回転板５５，５５およびロックアーム５６，５６が回転し、ロックアーム５６，５６の先端部がサポートアーム連結部本体４３の側壁に設けられる貫通孔４３ａ，４３ａおよびサポートアーム連結部本体４３に挿入されるサポートアーム１のアーム本体１０の側壁に設けられる貫通孔１２，１２に通され、サポートアーム連結部４１とサポートアームが連結する（図８参照）。逆に、レバー５１を上げると、回転板５５，５５およびロックアーム５６，５６が回転し、サポートアーム連結部本体４３およびサポートアーム１の上記貫通孔４３ａ，４３ａ，１２，１２からロックアーム５６，５６が外れ、サポートアーム１とサポートアーム連結部４１との連結が解除される（図７参照）。
【００４０】
サポートアーム連結部本体４３の底壁のうち、支持板５３より後方側の部分には、左右方向に延びるレール５８と、このレール５８に嵌め込まれて左右方向にスライドするレバー回転規制部５９と、が設けられている。レバー回転規制部５９は、図９および図１０に示すように、形状が左右対称であり、中央に向かうに従って上側に窪む凹部５９ａと、凹部５９ａの左右に位置する凸部５９ｂ，５９ｂと、を備えている。また、凸部５９ｂには、貫通孔からなる取手部５９ｃが設けられている。レバー回転規制部５９は、その上端に、レバー回転規制部５９のスライド範囲を規制するとともにレバー回転規制部５９の脱落を防止するスライド規制部５９ｄを備えている。スライド規制部５９ｄの外側寄りの端部は上方に向かって側に突出しており、レバー回転規制部５９をスライドすると、この突出した端部がサポートアーム連結部本体４３の側壁に当接し、レバー回転規制部５９のスライドが規制される。
レバー回転規制部５９によれば、レバー回転規制部５９の凹部５９ａをレバー５１の上方に位置させると、レバー５１が上下に回転可能となり、レバー回転規制部５９を左右のいずれかにスライドして凸部５９ｂをレバー５１に当接させると、レバー５１の回転が規制される。
【００４１】
本発明のアーム部材の取り付け装置は、サポートアーム１の長さを延長するために、延長アーム６０をサポートアーム１のアーム本体１０の後端側に着脱自在に連結することができる。また、延長アーム６０は、アダプタ３０のサポートアーム連結部４１に着脱自在に連結される。
延長アーム６０は、図１１〜図１３に示すように、延長アーム本体６２と、延長アームヘッド部６４とを備えている。
【００４２】
延長アーム本体６２は、サポートアーム１のアーム本体１０と同様に、柱状であり、本実施形態では、角筒状としている。延長アーム本体６２の後端側の左右の側壁には、貫通孔６２ａ，６２ａが対向して設けられている。
【００４３】
延長アームヘッド部６４は、延長アーム本体６２と同様に、柱状であり、本実施形態では、角筒状としている。延長アームヘッド部６４は、その後端が延長アーム本体６２の先端に連結されている。延長アームヘッド部６４の上壁および底壁には、貫通孔６４ａ，６４ａが対向して設けられている。延長アームヘッド部６４の内部は、サポートアーム１のアーム本体１０が挿入される挿入部６６となっている。
【００４４】
延長アーム６０とサポートアーム１との連結については、延長アームヘッド部６４にサポートアーム１のアーム本体１０の後端側を挿入し、延長アームヘッド部６４の上壁および底壁に対向して設けられる貫通孔６４ａ，６４ａと、サポートアーム１のアーム本体１０の上壁および底壁に対向して設けられる貫通孔１２，１２に、ボルト６４ｂを挿入し、ナット６４ｃを締結して連結する。
延長アーム６０とアダプタ３０との連結については、延長アーム本体６２の後端側をアダプタ３０のサポートアーム連結部本体４３に挿入し、アダプタ３０のレバー５１の操作によりロックアーム５６，５６をサポートアーム連結部本体４３の貫通孔４３ａ，４３ａおよび延長アーム本体６２の貫通孔６２ａ，６２ａに通して連結する。
【００４５】
本発明のアーム部材の取り付け装置は、サブブーム１１６とアダプタ３０とを連結する継手であって、アダプタ３０に直接または延長アーム６０を介して連結されるサポートアーム１の長手方向を、サブブーム１１６の長手方向に対し、平面視において、平行とし、または傾斜させる角度変更継手７０を備えることができる。
【００４６】
本実施形態における角度変更継手７０は、図１４〜図１８に示すように、サブブーム１１６に連結する第一連結部７１と、第一連結部７１に連結すると共に、アダプタ３０のサブブーム連結部３１に連結する第二連結部８１と、を備えている。
【００４７】
第一連結部７１は、隣り合う２つの側板が略直角に連結する角度変更板７３と、角度変更板７３の上端に設けられる蓋部７５と、角度変更板７３の後面に連結され、下方に傾斜する角筒状の第一連結部本体７７と、を備えている。角度変更部板７３の２つの側板には、ボルト８３ｂを締結するために、それぞれ貫通孔７３ａ，７３ａおよびナット７３ｂ，７３ｂが設けられている。また、蓋部７５には、ボルト８９ｂを締結するために、貫通孔７５ａとナット７５ｂとが設けられている。第一連結部本体７７の側壁には、サブブーム１１６をボルトとナットにより連結するために、貫通孔７７ａ，７７ａが対向して設けられている。
【００４８】
第二連結部８１は、連結板８３と、連結板８３の前面に連結され、上方に傾斜する角筒状の第二連結部本体８５と、を備えている。第二連結部本体８５の側壁には、アダプタ３０のサブブーム連結部本体３３をボルト３３ｂとナット３３ｃにより連結するために、貫通孔８５ａ、８５ａが対向して設けられている。連結板８３の両側端には、後方に延びる後部側板８７，８７が設けられ、連結板８３の上部には後方に延びる後部上板８９が設けられている。連結板８３には、ボルト８３ｂを通すための貫通孔８３ａが設けられている。また、後部上板８９にも、ボルト８９ｂを通すための貫通孔８９ａ，８９ａが２つ設けられている。
【００４９】
第一連結部７１と第二連結部８１との連結については、まず第二連結部８１の連結板８３の後面を、第一連結部７１の角度変更板７３のうち、一方の側板の前面に当接させると共に、第二連結部８１の後部上板８９を第一連結部７１の蓋部７５に載置する。そして後部上板８９の貫通孔８９ａ並びに蓋部の貫通孔７５ａおよびナット７５ｂにボルト８９ｂを通して締結し、連結板８３の貫通孔８３ａ並びに角度変更板７３の貫通孔７３ａおよびナット７３ｂにボルト８３ｂを通して締結することにより連結される。
【００５０】
角度変更継手７０は、第一連結部７１の長手方向が鉛直方向に平行となるようにした状態において、第二連結部８１が、第一連結部７１に対し、鉛直方向と水平方向に傾斜している。なお、第一連結部７１と第二連結部８１との連結において、第二連結部８１の連結板８３を第一連結部７１の角度変更板７３の他方の側板に当接させて連結すると、第一連結部７１と第二連結部８１との水平方向の傾斜角を変更することができる。
【００５１】
角度変更継手７０をアダプタ３０とサブブーム１１６との間に介在させると、アダプタ３０に直接または延長アーム６０を介して連結されるサポートアーム１の長手方向は、サブブーム１１６の長手方向に対し、鉛直方向に傾斜すると共に、水平方向にも傾斜する。
【００５２】
なお、角度変更継手７０は、アダプタ３０に直接または延長アーム６０を介して連結されるサポートアーム１の長手方向を、サブブーム１１６の長手方向に対し、平面視において、平行とし、または傾斜させるものであればどのような構成でも構わない。
【００５３】
次に、アーム部材の取り付け装置を用いたアーム部材の取り付け方法について説明する。図１９〜図３１は、アーム部材の取り付け装置を用いたアーム部材の取り付け方法を示す。ここでは、高圧線１０１ａが架線されている電柱１００に、ＣＦ遮断器１０４（高圧カットアウト）等が装着されるアーム部材１０２を取り付ける場合について説明する。高圧線１０１ａは、電柱１００に取り付けられた高圧線用のアーム部材１０１ｂにより支持されている。
なお、電柱１００の方向に関しては、高圧線１０１ａの架線方向を前後方向とし、この前後方向に対し水平に直行する方向を左右方向（側方）とする。また、電柱１００の長手方向を上下方向とする。
【００５４】
アーム部材の取り付け作業に用いられる高所作業車は、高所作業車両（図示略）と、高所作業車両に設けられるメインブーム１１４と、メインブーム１１４の先端側に取り付けられるバケット１１２と、バケット１１２に設けられるサブブーム１１６と、を備えている。
メインブーム１１４は、水平方向および上下方向に回転可能であると共に、伸縮可能となっている。サブブームも、水平方向および上下方向に回転可能となっている。バケット１１２には、作業者が作業を行うスペースが設けられている。
なお、以下の説明において、高所作業車の操作とは、メインブーム１１４およびサブブーム１１６の両方または一方を操作することをいう。
【００５５】
アーム部材の取り付け方法については、図１９に示すように、まず、作業者が、高所作業車のバケット１１２に乗って、または電柱１００に直接登って、高圧線１０１ａの活線近接範囲外となる部分に、アーム部材１０２をアーム部材固定具１０２ａにより仮固定する。アーム部材１０２は、電柱１００の長手方向および高圧線１０１ａの架線方向に対して略直行するように電柱１００に取り付ける。アーム部材固定具１０２ａとしては、例えば可変式アームバンドを用いることができる。
なお、図２０に示すように、電柱１００に、高圧線１０１ａだけでなく、その下方に低圧線１０１ｃも架線されている場合には、アーム部材１０２を高圧線１０１ａと低圧線１０１ｃとの間のうち活線近接範囲外となる部分に仮固定する。
【００５６】
次いで、作業者が、仮固定したアーム部材１０２にＣＦ遮断機１０４および高圧引下げ線支持碍子等を取り付ける。
【００５７】
次に、アダプタ３０を高所作業車のサブブーム１１６に連結する。具体的には、サブブーム１１６の先端側をアダプタ３０のサブブーム連結部本体３３に挿入し、サブブーム連結部本体３３の側壁に設けられた貫通孔３３ａおよびサブブーム１１６の側壁に設けられた貫通孔（図示略）にボルト３３ｂを通し、ナット３３ｃで締結することにより連結する。
なお、すでにアダプタ３０がサブブーム１１６に連結されている場合には、この工程は省略される。
【００５８】
次いで、図２１に示すように、電柱１００に仮固定したアーム部材１０２に、サポートアーム１をその長手方向が略水平となるようにして連結する。具体的には、アーム部材１０２の長手方向の一端側をサポートアーム１のヘッド部２０の挿入部２６に挿入する。さらに、アーム部材１０２をサポートアーム１に固定するために、アーム部材固定部２９の環状部２９ｇを工具で回し、固定ボルト２９ｆをアーム部材１０２に設けられた貫通孔１０２ｂに挿入する。さらに、サポートアーム１の傾斜角調整ボルト２４ｆを緩め、ヘッド部２０をアーム本体１０に対して傾斜可能にしておく。
【００５９】
次に、図２２に示すように、高所作業車を操作して、サブブーム１１６に連結されたアダプタ３０を、サポートアーム１の後方（長手方向）に位置するように移動させる。この際、高所作業車の操作およびアダプタ３０の傾斜角調整部４９の調整により、アダプタ３０のサポートアーム連結部４１の長手方向が略水平となるようにすると共に、サポートアーム連結部４１の開口部がサポートアーム１のアーム本体１０の後端に向くようにしておく。アダプタ３０の傾斜角調整部４９の調整は、傾斜角調整ナット４９ｂを工具で回して行う。
【００６０】
次いで、高所作業車を操作して、アダプタ３０をサポートアーム１のアーム本体１０の後端に向かってって水平移動させ、サポートアーム１のアーム本体１０の後端側に連結する。
アダプタ３０とサポートアーム１との連結については、サポートアーム１のアーム本体１０の後端側をアダプタ３０のサポートアーム連結部本体４３の内部に挿入し、アダプタ３０のレバー５１を下げれば、アーム本体１０の側壁に設けられる貫通孔１２，１２およびサポートアーム連結部本体４３の側壁に設けられる貫通孔４３ａ，４３ａに、ロックアーム５６，５６が挿入されて連結する。さらに、ロックアーム５６，５６を貫通孔１２，１２，４３ａ，４３ａに挿入した後、レバー回転規制部５９を左右のいずれかにスライドさせ、レバー５１が回転しないようにしておく。
【００６１】
ここで、図２３に示すように、アーム部材１０１ｄにより支持された低圧線１０１ｃが架線され、低圧線１０１ｃのアーム部材１０１ｄが電柱１００の左右方向に突出しているような電柱１００においては、アダプタ３０をサポートアーム１のアーム本体１０の後端に向けて水平移動させる際に、高所作業車のバケット１１２が低圧線１０１ｃのアーム部材１０１ｄに衝突するため、アダプタ３０をサポートアーム１に近接させることができない。このような電柱１００にアーム部材１０２を取り付ける場合には、図２４に示すように、サポートアーム１に延長アーム６０を連結する。
サポートアーム１と延長アーム６０との連結は、サポートアーム１のアーム本体１０の後端側を延長アーム６０の延長アームヘッド部６４に挿入し、延長アーム６０の延長アームヘッド部６４の上壁と底壁に設けられる貫通孔６４ａ，６４ａおよびサポートアーム１のアーム本体１０の上壁と底壁に設けられる貫通孔１２，１２にボルト６４ｂを通し、ナット６４ｃで締結することにより行う。
図２５に示すように、延長アーム６０を用いると、高所作業車のバケット１１２の進行方向に既設のアーム部材１０１ｄ等が存在する場合であっても、延長アーム６０を介してアダプタ３０をサポートアーム１に連結することができる。
【００６２】
また、図２６および図２７に示すように、電柱１００の略左右方向に引込線１０１ｅが架線されている電柱１００においては、アダプタ３０をサポートアーム１のアーム本体１０の後端に向けて水平移動させる際に、高所作業車のバケット１１２が引込線１０１ｅに接触し、アダプタ３０をサポートアーム１に近接させることができない。このような電柱１００にアーム部材１０２を取り付ける場合には、図２８および図２９に示すように、アダプタ３０とサブブーム１との間に角度変更継手７０を連結する。
角度変更継手７０の連結は、角度変更継手７０の第一連結部本体７７にサブブーム１１６の先端部を挿入し、角度変更継手７０の第一連結本体７７の側壁に設けられる貫通孔７７ａ，７７ａおよびサブブーム１１６の側壁に設けられる貫通孔にボルトを挿入してナットで締結すると共に、角度変更継手７０の第二連結部本体８５をアダプタ３０のサブブーム連結部本体３３に挿入し、アダプタ３０のサブブーム連結部本体３３の側壁に設けられる貫通孔３３ａ，３３ａおよび角度変更継手７０の第二連結部本体８５の側壁に設けられる貫通孔８５ａ，８５ａにボルト３３ｂを挿入してナット３３ｃで締結することにより行う。
角度変更継手７０を用いると、高所作業車のバケット１１２の進行方向に引込線１０１ｅ等が架線されている場合であっても、サポートアーム１にアダプタ３０を連結することができる。
【００６３】
なお、電柱１００の態様に応じて、延長アーム６０と角度変更継手７０を併用してもよい。
【００６４】
アダプタ３０をサポートアーム１に連結する工程が完了したら、図３０に示すように、アーム部材１０２のアーム部材固定具１０２ａによる電柱１００への固定を解除し、高所作業車を操作して、アーム部材１０２を電柱１００の設置位置に昇降させる。
なお、アーム部材１０２を確実に支持するため、アーム部材１０２の昇降前に、アダプタ３０の傾斜角調整部４９によりサポートアーム連結部４１とサブブーム連結部３１との傾斜角を調整し、サブブーム１１６にアーム部材１０２の荷重がかかるようにしておく。
【００６５】
次に、アーム部材１０２の水平方向の傾斜角を調整し、アーム部材１０２をアーム部材固定具１０２ａにより電柱１００に固定する。アーム部材１０２の水平方向の傾斜角の調整は、サポートアーム１の左右の傾斜角調整ボルト２４ｆ，２４ｆを工具等により回して行う。
【００６６】
次に、アーム部材１０２からサポートアーム１を取り外す。サポートアーム１の取り外しは、まず、サポートアーム１のアーム部材固定部２９の環状部２９ｇを工具で回して、固定ボルト２９ｆによるアーム部材１０２の固定を解除する。次いで、高所作業車を操作して、サポートアーム１を後方に水平移動させ、アーム部材１０２から取り外す。
【００６７】
次に、必要に応じて、サポートアーム１をアダプタ３０から取り外す。具体的には、アダプタ３０のレバー回転規制部５９をスライドしてレバー５１の回転規制を解除し、レバー５１を回転して、ロックアーム５６，５６によるサポートアーム１とアダプタ３０のサポートアーム連結部本体４３との固定を解除し、サポートアーム１をアダプタ３０のサポートアーム連結部本体４３から取り出す。
また、必要に応じて、アダプタ３０をサブブーム１１６から取り外す。取り外しは、ボルト３３ｂとナット３３ｃの締結を解除して行われる。
【００６８】
最後に、作業者が、工具を用いてＣＦ１次側リード線１０４ａを高圧線１０２ａに接続する。さらに、電柱１００に変圧器１０６を取り付けた後、工具を用いてＣＦ２次側リード線１０４ｂを変圧器１０６に接続して、作業が完了する（図３１参照）。
【００６９】
本発明のアーム部材の取り付け装置およびアーム部材の取り付け方法は、従来の装置または方法に比べて適用範囲が広く、様々な電柱１００に適用できるので、アーム部材１０２の取り付け作業における停電回数を低減させることができると共に、作業性や安全性を向上させることができる。
【００７０】
本発明のアーム部材の取り付け装置は、従来のアプローチアーム装置に比べ、小型かつ軽量であり、部品数も大幅に低減させることができる。
【００７１】
本発明のアーム部材の取り付け装置において、サポートアーム１のヘッド部２０にアーム部材１０２を挿入する挿入部２６を備えると、サポートアーム１によりアーム部材１０２を確実に支持することができる。
【００７２】
また、本発明のアーム部材の取り付け装置およびアーム部材の取り付け方法において、サポートアーム１のヘッド部２０をアーム本体１０に対し水平方向に傾斜自在とし、サポートアーム１にヘッド部２０とアーム本体１０との傾斜角を調整するヘッド傾斜角調整部２４を備えると、アーム部材１０２の水平方向の向きを容易に調整することができる。
【００７３】
また、本発明のアーム部材の取り付け装置およびアーム部材の取り付け方法において、角度変更継手７０を備えると、電柱１００に引込線１０１ｅ等が架線され、引込線１０１ｅ等が障害となってアダプタ３０をサポートアーム１に近接させることができない場合であっても、引込線１０１ｅ等を回避してアダプタ３０をサポートアーム１に近接させて連結することができる。
【００７４】
また、本発明のアーム部材の取り付け装置およびアーム部材の取り付け方法において、延長アーム６０を備えると、電柱１００に低圧線１０１ｃを支持するアーム部材１０１ｄ等が設けられ、このアーム部材１０１ｄ等が障害となってアダプタ３０をサポートアーム１に近接させることができない場合であっても、アダプタ３０をサポートアーム１に近接させて連結することができる。
【００７５】
次に、アーム部材の取り付け装置を用いたアーム部材の取り外し方法について説明する。ここでは、高圧線１０１ａが架線されている電柱１００に取り付けられたアーム部材１０２であって、ＣＦ遮断器１０４（高圧カットアウト）等が装着されているアーム部材１０２を取り外す場合について説明する。なお、上記で説明した事項については、説明を省略する。
【００７６】
まず、作業者が、工具等を用いて、ＣＦ１次側リード線１０４ａを高圧線１０１ａから切り離し、ＣＦ２次側リード線１０４ｂを変圧器１０６から切り離す。
【００７７】
次に、電柱１００に固定されたアーム部材１０２にサポートアーム１を工具を用いて連結する。
【００７８】
次に、高所作業車を操作して、サブブーム１１６に連結されたアダプタ３０を、サポートアーム１の後方（長手方向延長線上）に位置するように移動させる。この際、アダプタ３０のサポートアーム連結部本体４１の先端側の開口がサポートアーム１に向かうようにしておく。
次いで、アダプタ３０を、サポートアーム１のアーム本体１０の後端に向かってって水平移動させ、サポートアーム１のアーム本体１０の後端側に連結する。
【００７９】
次に、アーム部材１０２のアーム部材固定具１０２ａによる電柱１００への固定を解除し、高所作業車のバケット１１２を昇降させて、アーム部材１０２を電柱１００の活線近接範囲外に移動させる。
【００８０】
最後に、アーム部材１０２からサポートアーム１を取り外し、電柱１００からアーム部材１０２を取外す。
【００８１】
なお、アーム部材の取り外しにおいても、アーム部材の取り付けと同様に、必要に応じて、延長アーム６０や、角度変更継手７０を用いることができる。
【００８２】
本発明のアーム部材の取り付け装置およびアーム部材の取り外し方法は、アーム部材の取り外し作業における停電回数を低減させることができると共に、作業性や安全性を向上させることができる。
【００８３】
本発明のアーム部材の取り付け装置、アーム部材の取り付け方法およびアーム部材の取り外し方法は、上記実施形態に特に限定されるものではなく、本発明の要旨の範囲内において変更可能である。
【００８４】
本発明のアーム部材の取り付け装置、アーム部材の取り付け方法およびアーム部材の取り外し方法の対象となるアーム部材は、ＣＦ遮蔽器のアーム部材に特に限定されるものではなく、電柱に設置される他のアーム部材にも適用することができる。
また、アーム部材が取り付けられる柱も電柱に限定されるものではなく、他の用途の柱にも適用することができる。
【符号の説明】
【００８５】
１    サポートアーム
１０    アーム本体
１２，１３    貫通孔
２０    ヘッド部
２１ａ，２１ｂ    貫通孔
２２    軸部
２２ａ    軸本体
２２ｂ    スナップピン
２３    クリアランス部材
２４    ヘッド傾斜角調整部
２４ａ    枠部
２４ｂ    基部
２４ｃ    頂部
２４ｄ    貫通孔
２４ｅ    傾斜角調整ナット
２４ｆ    傾斜角調整ボルト
２４ｇ    貫通孔
２６    挿入部
２８    ストッパー
２８ａ    ボルト
２８ｂ    ナット
２８ｃ    貫通孔
２９    アーム部材固定部
２９ａ    枠部
２９ｂ    基部
２９ｃ    頂部
２９ｄ    貫通孔
２９ｅ    ナット
２９ｆ    固定ボルト
２９ｇ    環状部
３０    アダプタ
３１    サブブーム連結部
３３    サブブーム連結部本体
３３ａ    貫通孔
３３ｂ    ボルト
３３ｃ    ナット
３５    ガイド部
３５ａ    連結壁
３５ｂ    貫通孔
３５ｃ    ガイド壁
３５ｄ    ガイド孔
３７    下軸部
３７ａ    軸部本体
３７ｂ    コッタピン
３９    上軸部
３９ａ    軸部本体
３９ｂ    座金
３９ｃ    コッタピン
４１    サポートアーム連結部
４３    サポートアーム連結部本体
４３ａ    貫通孔
４４    導入部
４５    後壁
４５ａ    貫通孔
４５ｂ    支持壁
４７    軸受
４９    傾斜角調整部
４９ａ    傾斜角調整ボルト
４９ｂ    傾斜角調整ナット
４９ｃ    球面座金
４９ｄ    軸部
５１    レバー
５３    支持板
５３ａ    回転規制孔
５５    回転板
５５ａ    長孔
５６    ロックアーム
５８    レール
５９    レバー回転規制部
５９ａ    凹部
５９ｂ    凸部
５９ｃ    取手部
５９ｄ    スライド規制部
６０    延長アーム
６２    延長アーム本体
６２ａ    貫通孔
６４    延長アームヘッド部
６４ａ    貫通孔
６４ｂ    ボルト
６４ｃ    ナット
６６    挿入部
７０    角度変更継手
７１    第一連結部
７３    角度変更板
７３ａ    貫通孔
７３ｂ    ナット
７５    蓋部
７５ａ    貫通孔
７５ｂ    ナット
７７    第一連結部本体
７７ａ    貫通孔
８１    第二連結部
８３    連結板
８３ａ    貫通孔
８３ｂ    ボルト
８５    第二連結部本体
８５ａ    貫通孔
８７    後部側板
８９    後部上板
８９ａ    貫通孔
８９ｂ    ボルト
１００    電柱
１０１ａ    高圧線
１０１ｂ    アーム部材（高圧線用）
１０１ｃ    低圧線
１０１ｄ    アーム部材（低圧線用）
１０１ｅ    引込線
１０２    アーム部材
１０２ａ    アーム部材固定具
１０２ｂ    貫通孔
１０４    ＣＦ遮断機
１０４ａ    ＣＦ１次側リード線
１０４ｂ    ＣＦ２次側リード線
１０６    変圧器
１１２    バケット
１１４    メインブーム
１１６    サブブーム
【図１】
0006364308.tif 000002
【図２】
0006364308.tif 000003
【図３】
0006364308.tif 000004
【図４】
0006364308.tif 000005
【図５】
0006364308.tif 000006
【図６】
0006364308.tif 000007
【図７】
0006364308.tif 000008
【図８】
0006364308.tif 000009
【図９】
0006364308.tif 000010
【図１０】
0006364308.tif 000011
【図１１】
0006364308.tif 000012
【図１２】
0006364308.tif 000013
【図１３】
0006364308.tif 000014
【図１４】
0006364308.tif 000015
【図１５】
0006364308.tif 000016
【図１６】
0006364308.tif 000017
【図１７】
0006364308.tif 000018
【図１８】
0006364308.tif 000019
【図１９】
0006364308.tif 000020
【図２０】
0006364308.tif 000021
【図２１】
0006364308.tif 000022
【図２２】
0006364308.tif 000023
【図２３】
0006364308.tif 000024
【図２４】
0006364308.tif 000025
【図２５】
0006364308.tif 000026
【図２６】
0006364308.tif 000027
【図２７】
0006364308.tif 000028
【図２８】
0006364308.tif 000029
【図２９】
0006364308.tif 000030
【図３０】
0006364308.tif 000031
【図３１】
0006364308.tif 000032
【図３２】
0006364308.tif 000033
【図３３】
0006364308.tif 000034